(57)【要約】【課題】集塵部に設けられた叩きブラシの少ない移動で、フィルタに堆積する微細塵を除去することを可能とした電気掃除機を提供する。【解決手段】集塵部６の電動送風機８の吸気側に周期的に並ぶ複数の凹凸７ａ，７ｂを有するフィルタ７と、複数の突起部１２ａを有し、長手方向に可動に支持された叩きブラシ１２とを備え、複数の突起部１２ａは、叩きブラシ１２の長手方向の移動によって、フィルタ７の凹凸７ａ，７ｂにそれぞれ当接するように、所定の間隔で配されている。【選択図】図２
2007209666.tif 000002
【特許請求の範囲】
【請求項１】
吸気口を有する吸気部と、
吸気を発生させる電動送風機と、
前記吸気部と前記電動送風機との間に設けられた集塵部と
前記集塵部における前記電動送風機の吸気側に設けられた、周期的に並ぶ複数の凹凸を有するフィルタと、
複数の突起部を有し、長手方向に可動に支持された叩きブラシとを備え、
前記複数の突起部は、前記叩きブラシの長手方向の移動によって、前記フィルタの前記複数の凹凸の、前記叩きブラシ側に突き出した凸部にそれぞれ当接するように、所定の間隔で配されている、電気掃除機。
【請求項２】
前記叩きブラシの前記複数の突起部を、前記フィルタの凹凸の、前記叩きブラシ側に突き出した凸部を挟むリブ形状としたことを特徴とする、請求項１記載の電気掃除機。
【請求項３】
前記叩きブラシの前記複数の突起部を弾性部材で構成したことを特徴とする、請求項１記載の電気掃除機。
【請求項４】
前記叩きブラシを複数列設けたことを特徴とする、請求項１記載の電気掃除機。
【請求項５】
前記叩きブラシを電動手段で駆動させる構造としたことを特徴とする、請求項１から４のいずれかに記載の電気掃除機。
【発明の詳細な説明】
【技術分野】
【０００１】
本発明は、フィルタを備えた集塵部を有し、簡単な操作でフィルタに堆積する微細塵を除去することができる電気掃除機に関するものである。
【背景技術】
【０００２】
従来、複数の凹凸を有するフィルタに堆積する微細塵を除去するものとして、図９に示すような集塵機構を有する電気掃除機が存在した。この従来の電気掃除機の集塵部は、電動送風機１０３と、この電動送風機１０３の吸気側にある吸気口１０４とを備え、フィルタ１００の谷部１００ａに当接し矢印Ｘ方向に可動するよう支持された凸部材１０１を手動でフィルタ枠１０２いっぱいに動かして除去する構造を有していた。
【０００３】
また、集塵機構を電動式とした従来の電気掃除機が、特許文献１に開示されている。この文献に記載の電気掃除機の集塵機構は、フィルタユニットの一部に電動による振動または衝撃を与えて微細塵を除去する構造であった。
【特許文献１】特開２００５−２７９５０５号公報
【発明の開示】
【発明が解決しようとする課題】
【０００４】
上述のような手動式の集塵機構の構造では、フィルタに堆積する微細塵を除去する動作としてフィルタ枠いっぱいに凸部材を動かす必要があり、手動での凸部材の移動距離が長いという欠点がある。また、特許文献１に示すような電動式の集塵部では、局部的な振動または衝撃がフィルタ全体に伝わりにくいため、除去効率が弱いという欠点があった。
【０００５】
上記従来の問題点を解消するため本発明は、集塵部に設けられた叩きブラシの少ない移動で、フィルタに堆積する微細塵を除去することを可能とした電気掃除機を提供することを目的とする。
【課題を解決するための手段】
【０００６】
このような課題を解決するため、本発明の電気掃除機は、吸気口を有する吸気部と、吸気を発生させる電動送風機と、吸気部と電動送風機との間設けられた集塵部とを備える。集塵部における電動送風機の吸気側には、周期的に並ぶ複数の凹凸を有するフィルタが配設されている。また、集塵部には、複数の突起部を有する、長手方向に可動に支持された叩きブラシが備えられ、複数の突起部は、叩きブラシの長手方向の移動によって、フィルタの複数の凹凸の、叩きブラシ側に突き出した複数の凸部にそれぞれ当接するように、所定の間隔で配されている。
【０００７】
また、叩きブラシの突起部の形状を、フィルタの凹凸の叩きブラシ側に突き出した複数の凸部のそれぞれを挟むリブ形状としてもよい。さらに、叩きブラシの突起部を、弾性部材で構成してもよい。また、叩きブラシを複数列設けてもよい。さらに、叩きブラシを電動手段で駆動させる構造としてもよい。
【発明の効果】
【０００８】
本発明によれば、叩きブラシの複数の突起部が、叩きブラシの長手方向の移動によってフィルタの複数の凸部にそれぞれ当接するように、所定の間隔で配されていることにより、叩きブラシを動かす距離はフィルタの隣接する凸部間の距離以内でよい。そのため、その程度の距離の叩きブラシの移動で、複数の突起部がフィルタの凸部のそれぞれに当接してフィルタを振動させることができるので、少ない動作ロスで、微細塵の除去を行なうことができる。
【０００９】
また、叩きブラシの突起部の形状を、フィルタの凸部を挟むリブ形状とした場合には、フィルタの凸部間の距離より少ない距離の叩きブラシの往復運動で微細塵の除去ができるので、動作ロスが少ない。さらに、叩きブラシの突起部を弾性部材で構成した場合には、フィルタの凸部に突起部が接触した後、反動で突起部が隣の凸部にも接触するため、除去効率が向上する。また、叩きブラシを電動手段で駆動させる構造とした場合にも、叩きブラシの移動距離が短くてもよいため、電動手段による駆動が容易で効率よく微細塵の除去を行なうことができる。
【発明を実施するための最良の形態】
【００１０】
以下、図面に基づいて、本発明の実施の形態について説明する。
（実施形態１）
図１は、本発明の実施形態１における、詳細を略した掃除機全体の概略図であり、吸気部と電動送風機との間にサイクロン集塵室を設けたものであり以下に詳細を説明する。
【００１１】
吸気口１を有する吸気部２から吸引された塵埃は、延長管３およびホース４を通って、掃除機の本体５に設けたサイクロン型の集塵部６へ入り、大部分の塵埃は、集塵部６の底６ａに堆積し、微細塵はフィルタ７に付着し堆積される。フィルタ７に微細塵が大量に堆積すると電動送風機８の吸引が低下するため、定期的に、以下に説明する集塵機構を使って掃除するのが一般的である。吸気部２はハンドル９によって操作され、電動送風機８へは、コードリール１０を通して電力が供給される。図１における破線（円）内は、集塵部６を本体５から外した状態を示している。
【００１２】
図２は集塵部６の要部の断面図であり、図３はさらにその要部を拡大した図である。図２に示すように、集塵部６の吸気側に、吸気開口部１１が設けられている。この吸気開口部１１には、周期的に並ぶ複数の凹凸（７ａ、７ｂ）を有するフィルタ７が配設されている。また、吸気開口部１１には、フィルタ枠１３によってその両端が矢印Ｙ方向およびその逆方向に可動に支持された、叩きブラシ１２が設けられている。この叩きブラシ１２には複数の突起部１２ａを有し、この複数の突起部１２ａは、それぞれフィルタ７の凸部７ｂに当接するように、互いに近接させて配置されている。
【００１３】
叩きブラシ１２の一端には、叩きブラシ１２を手動で駆動するためのボタン部１４が、シール部材１５を介してフィルタ枠１３より外側に設けてられている。叩きブラシ１２の他端には、ボタン部１４により押された叩きブラシ１２を押し戻すためのスプリング１６が配設されている。
【００１４】
このような構成によって、ボタン部１４を押すことにより、叩きブラシ１２が矢印Ｙ方向に駆動され、叩きブラシ１２のそれぞれの突起１２ａがフィルタ７の凸部７ｂに当接して、フィルタ７の凸部７ｂ全てに振動または衝撃が与えられる。
【００１５】
この場合、叩きブラシ１２を動かす距離はフィルタ７のたとえば隣接する凸部７ｂ間の距離以内でよく、それぞれの突起１２ａがフィルタ７の凸部７ｂに当接して、フィルタ７の凸部全てに振動または衝撃が与えられるので、叩きブラシ１２の移動距離は少なく、動作ロスが少ない微細塵の除去ができる。なおフィルタ７の凹凸（７ａ、７ｂ）について、いずれを凹あるいは凸と見るかは、見方によって異なるが、本実施の形態においては、叩きブラシ１２に突き出す側、すなわち、叩きブラシ１２に当接する部分を凸部７ｂとしている。以下の各実施形態においても、同様の考え方で、いずれの側を凹部あるいは凸部とするかを決めている。
（実施形態２）
次に、本発明の実施形態２における電気掃除機の集塵機構を、図４を参照して説明する。図４は、実施形態２における集塵部の要部を示した、一部を破断した断面図である。
【００１６】
本実施形態においては、実施形態１と同一の構成は同一の番号を付して説明を省略し、異なる構造部分のみを説明する。この実施形態では、叩きブラシ１７の突起部として、フィルタ７の凸部７ｂを挟む断面Ｕ字状リブ１７ａを設けている。この断面Ｕ字状リブ１７ａは、フィルタ７の凸部７ｂの数に合った個数設けられ、断面Ｕ字形状リブ１７ａとフィルタ７の凸部７ｂとの関係は、近接しているだけでもよく、または、当接しいてもよい。
【００１７】
この構成によれば、フィルタ７の隣接する凸部７ｂの間の距離（ピッチ）より少ない距離の叩きブラシ１７の移動動作で、フィルタ７に振動または衝撃を与えることができる。
（実施形態３）
次に本発明の実施形態３における電気掃除機の集塵機構を、図５を参照して説明する。図５は、実施形態３における集塵機構の要部を示した、一部を破断した断面図である。
【００１８】
本実施形態においては、実施形態１および２と同一の構成は同一の番号を付して説明を省略し、異なる構造部分のみを説明する。本実施形態では、叩きブラシ１８の突起部を、ゴムなどの弾性部材１８ａで構成している。このように、叩きブラシ１８の突起部を弾性部材１８ａで構成することで、ボタン部１４を押すことにより、弾性部材１８ａのもつ弾性により、弾性部材１８ａがフィルタ７の凸部７ｂに当接した後、反動で隣接する凸部７ｂに当接し、または同じ凸部７ｂに複数回当接する。これにより、フィルタ７の凸部７ｂに、効率よく振動または衝撃を与えることでき、その結果、少ない動作ロスで微細塵を除去することができる
（実施形態４）
次に、本発明の実施形態４における電気掃除機の集塵機構を、図６を参照して説明する。図６は、実施形態４における除塵部の要部を示した一部破断平面図である。本実施形態においては、上記実施形態１〜３と同一の構成は同一の番号を付して説明を省略し、異なる構造部分のみを説明する。実施形態４では、叩きブラシを複数列設ける構成を採用しており、複数列の叩きブラシ１９を略水平に設け、フィルタ枠１３内で１本に集合して支持している。各叩きブラシ１９における突起部の形状は、上述した各実施形態の突起部の構造を適宜選択して用い、各突起部がフィルタ７の凸部７ｂに隣接し当接可能な位置に配置されることは、上述した各実施形態と同様である。
【００１９】
このように、叩きブラシ１９を複数列設けることにより、各突起部がフィルタ７の凸部７ｂに当接する面積（箇所）が増加する。そのため、フィルタ７の凸部７ｂに、さらに効率よく振動または衝撃を与えることでき、その結果、少ない動作ロスで微細塵を除去することができる。
（実施形態５）
次に、本発明の実施形態５における集塵機構を、図７および図８を参照して説明する。図７および図８は、実施形態５における集塵機構の要部の２種類の実施態様について、一部を破断して示す断面図である。
【００２０】
本実施形態においては、上記実施形態１〜４と同一の構成要素は、同一の番号を付して説明を省略し、異なる構造部分のみを説明する。図７に示す実施態様では、叩きブラシ１２を、電磁式プランジャー２０により構成される電動手段により、ボタン部１４を介して駆動するようにしている。また、図８に示す実施態様では、モータや圧電素子などを使ったバイブレータ２１により構成される電動手段により、ボタン部１４を介して叩きブラシ１７を駆動する構成としている。
【００２１】
このような構成を有することにより、電動手段による駆動であっても、従来の構造より少ない振動や移動範囲で、効率よくかつ少ない動作ロスで、微細塵を除去することができる。
【産業上の利用可能性】
【００２２】
本発明を適用した電気掃除機は、フィルタを備えた集塵部を有し、叩きブラシの少ない移動でフィルタを振動させて微細塵の除去ができ、動作ロスが少ない簡単な操作でフィルタに堆積する微細塵を除去することができるため、家庭用、あるいは業務用の電気掃除機に広く利用可能である。
【図面の簡単な説明】
【００２３】
【図１】本発明の実施形態１における電気掃除機の全体を示す概略図である。
【図２】本発明の実施形態１における電気掃除機の集塵機構の要部を示す断面図である。
【図３】本発明の実施形態１における電気掃除機の集塵機構の要部の一部を破断した断面図である。
【図４】本発明の実施形態２における電気掃除機の集塵部の要部の一部を破断した断面図である。
【図５】本発明の実施形態３における電気掃除機の集塵部の要部の一部を破断した断面図である。
【図６】本発明の実施形態４における電気掃除機の集塵部の平面図である。
【図７】本発明の実施形態５における電気掃除機の集塵部の要部の一部を破断した断面図である。
【図８】本発明の実施形態５における電気掃除機の集塵部の要部の一部を破断した断面図である。
【図９】従来技術の電気掃除機の除塵機構部を示した断面図である。
【符号の説明】
【００２４】
１  吸気口、２  吸気部、５  掃除機の本体、６  集塵部、７  フィルタ、７ａ，７ｂ  フィルタ凹凸部、１１  吸気開口部、  １２，１７，１８，１９  叩きブラシ、１２ａ，１７ａ  リブ形状、１８ａ  弾性部材、２０  電磁式プランジャ、２１  バイブレータ。
【図１】
2007209666.tif 000003
【図２】
2007209666.tif 000004
【図３】
2007209666.tif 000005
【図４】
2007209666.tif 000006
【図５】
2007209666.tif 000007
【図６】
2007209666.tif 000008
【図７】
2007209666.tif 000009
【図８】
2007209666.tif 000010
【図９】
2007209666.tif 000011